(57)【要約】【課題】簡易な操作で光ディスクのフォーマットの変更を自動で行い、ユーザの使い勝手を向上させた記録読取装置を提供する。【解決手段】ＤＶＤ−ＶideoフォーマットのＤＶＤ１００がセットされ、フォーマット変更キーが押下されると、制御部２は、両ドライブに次の処理を実行させる。まず、コンテンツデータをＤＶＤ１００からＨＤ３０Ａにコピーする。次に、ＶＲフォーマットでＤＶＤ１００を初期化する。最後に、コンテンツデータをＨＤ３０ＡからＤＶＤ１００にコピーする。これにより、ＤＶＤ１００のフォーマットの変更が完了する。そのため、ＤＶＤ１００のフォーマットを変更したいと考えた場合、ユーザは、フォーマット変更キーを押下するだけで済む。後は全てＨＤ付きＤＶＤレコーダ１が自動で行う。【選択図】  図４
2008300015.tif 000002
【特許請求の範囲】
【請求項１】
データの記録方式である第１のフォーマットでコンテンツデータが記録されている光ディスクに対し、該コンテンツデータの読取又は記録を行う光ディスクドライブと、
メディアに対する前記コンテンツデータの記録又は読取を行うメディアドライブと、
前記両ドライブを制御して、前記両ドライブ間においてデータの中継を行う中継手段と、
を備える記録読取装置において、
前記両ドライブは、前記光ディスクに記録されている前記コンテンツデータの前記記録方式の変更が指定されると、前記中継手段の指示に基づいて下記のＳＴ１乃至ＳＴ５の動作を逐次実行する記録読取装置。
（ＳＴ１）前記光ディスクドライブは、前記光ディスクから前記コンテンツデータを読取って前記中継手段に出力し、
（ＳＴ２）前記メディアドライブは、前記中継手段を介して入力された前記コンテンツデータを前記メディアに記録し、
（ＳＴ３）前記光ディスクドライブは、前記第１のフォーマットと異なる記録方式である第２のフォーマットで前記光ディスクを初期化し、
（ＳＴ４）前記メディアドライブは、前記メディアから前記コンテンツデータを読取って前記中継手段に出力し、
（ＳＴ５）前記光ディスクドライブは、前記中継手段を介して入力された前記コンテンツデータを前記第２のフォーマットで前記光ディスクに記録する。
【請求項２】
前記メディアドライブは、上記ＳＴ４の後、前記中継手段に出力した前記コンテンツデータを前記メディアから消去する請求項１に記載の記録読取装置。
【請求項３】
前記中継手段は、前記光ディスクに記録されている前記コンテンツデータの前記記録方式の変更が指定されると、前記コンテンツデータを記憶する残容量が前記メディアに存在するかどうかを判断し、前記残容量が前記メディアに存在しない場合、上記のＳＴ１乃至ＳＴ５の動作を禁止する請求項１又は２に記載の記録読取装置。
【請求項４】
前記光ディスクは、書換型のＤＶＤであり、
前記第１のフォーマットは、ＤＶＤ−ＶＩＤＥＯフォーマット及びＶＲフォーマットの内のいずれか一方のフォーマットであり、
前記第２のフォーマットは、他方のフォーマットである請求項１から３のいずれかに記載の記録読取装置。
【請求項５】
前記メディアは、ハードディスク又は半導体メモリである請求項１から４のいずれかに記載の記録読取装置。
【発明の詳細な説明】
【技術分野】
【０００１】
本発明は、光ディスクに対するデータの記録又は読取を行う光ディスクドライブ装置と、メディアに対するデータの記録又は読取を行うメディアドライブ装置と、を備えた記録読取装置に関するものである。
【背景技術】
【０００２】
従来から、光ディスク及びメディアの両方に対し、データの記録又は読取りを行う記録読取装置が各種考案されている。例えば記録読取装置の１つであるハードディスク付きＤＶＤレコーダは、光ディスクに対しデータの記録又は読取りを行う光ディスクドライブと、ハードディスク（以下、「ＨＤ」と称する。）に対しデータの記録又は読取りを行うハードディスクドライブ（以下、「ＨＤＤ」と称する。）と、を備える。光ディスクは、例えばブルーレイディスク、又はＤＶＤである。
【０００３】
このＨＤ付きＤＶＤレコーダにおいて、テレビ番組などのコンテンツを光ディスクに録画する場合、ユーザは、ＤＶＤ−ＶＩＤＥＯフォーマット及びＶＲフォーマットの内のいずれか一方のフォーマットを選択して、ＨＤ付きＤＶＤレコーダにコンテンツの録画を指示する。すると、ＨＤ付きＤＶＤレコーダは、選択されたフォーマットに基づいてコンテンツを録画する。このようにして、ユーザは、所望のフォーマットでコンテンツデータが録画された光ディスクを作成する。
ここで、ＶＲフォーマットは、データの記録後に編集を行うことができるフォーマットである。また、ＤＶＤ−Ｖideoフォーマットは、データの記録後に編集を行うことはできないが、ＶＲフォーマットより再生互換に優れたフォーマットである。このため、光ディスクの作成後、ユーザは、自分の使用方法に応じて光ディスクのフォーマットを変更する場合がある。この場合、ユーザは、コンテンツデータを光ディスクからＨＤに一旦コピーし、光ディスクを所望のフォーマットで初期化し、コンテンツデータをＨＤから光ディスクに戻すという一連の作業を行っていた。
一方、特許文献１では、光ディスク装置が提案されている。
【特許文献１】特開２００４−３２６９４２公報
【発明の開示】
【発明が解決しようとする課題】
【０００４】
しかしながら、データのコピーや初期化は、その処理に多くの時間を要する。そのため、上記の一連の作業の間、ユーザは待たされることが多く、上記の一連の作業は非常に手間がかかっていた。
よって、従来の記録読取装置では、コンテンツの録画後に光ディスクのフォーマットを変更し難く、ユーザの使い勝手が悪かった。
【０００５】
本発明はこのような従来の課題を解決しようとするものであり、簡易な操作で光ディスクのフォーマットの変更を自動で行い、ユーザの使い勝手を向上させた記録読取装置を提供することを目的とする。
【課題を解決するための手段】
【０００６】
本発明の記録読取装置は、前記課題を解決するために以下の構成を備えている。
【０００７】
（１）データの記録方式である第１のフォーマットでコンテンツデータが記録されている光ディスクに対し、該コンテンツデータの読取又は記録を行う光ディスクドライブと、
メディアに対する前記コンテンツデータの記録又は読取を行うメディアドライブと、
前記両ドライブを制御して、前記両ドライブ間においてデータの中継を行う中継手段と、
を備える記録読取装置において、
前記両ドライブは、前記光ディスクに記録されている前記コンテンツデータの前記記録方式の変更が指定されると、前記中継手段の指示に基づいて下記のＳＴ１乃至ＳＴ５の動作を逐次実行する。
【０００８】
（ＳＴ１）前記光ディスクドライブは、前記光ディスクから前記コンテンツデータを読取って前記中継手段に出力し、
（ＳＴ２）前記メディアドライブは、前記中継手段を介して入力された前記コンテンツデータを前記メディアに記録し、
（ＳＴ３）前記光ディスクドライブは、前記第１のフォーマットと異なる記録方式である第２のフォーマットで前記光ディスクを初期化し、
（ＳＴ４）前記メディアドライブは、前記メディアから前記コンテンツデータを読取って前記中継手段に出力し、
（ＳＴ５）前記光ディスクドライブは、前記中継手段を介して入力された前記コンテンツデータを前記第２のフォーマットで前記光ディスクに記録する。
【０００９】
この構成では、ユーザが第１のフォーマットに基づいてコンテンツデータを光ディスクに録画した後に、光ディスクのフォーマットの変更をユーザが記録読取装置に指定（命令）する場面を想定している。光ディスクのフォーマットの変更が指定されると、両ドライブが上記のＳＴ１からＳＴ５までの動作を実行する。これにより、光ディスクのフォーマットの変更が完了する。
そのため、光ディスクのフォーマットを変更したいと考えた場合、ユーザは、フォーマットの変更を命令するだけで済む。後は全て記録読取装置が自動で行う。よって、光ディスクのフォーマットを変更する時の手間を省くことができる。従って、ユーザの使い勝手を向上できる。
【００１０】
（２）前記メディアドライブは、上記ＳＴ４の後、前記中継手段に出力した前記コンテンツデータを前記メディアから消去する。
【００１１】
ここで、前記中継手段に出力した上記コンテンツデータは、フォーマットの変更作業のためにメディアに記憶させたものであり、ＳＴ４の後は不要である。
そこで、この構成においては上記コンテンツデータをメディアから消去している。
そのため、フォーマットの変更によって発生するメディアの容量の無駄を省くことができる。
【００１２】
（３）前記中継手段は、前記光ディスクに記録されている前記コンテンツデータの前記記録方式の変更が指定されると、前記コンテンツデータを記憶する残容量が前記メディアに存在するかどうかを判断し、前記残容量が前記メディアに存在しない場合、上記のＳＴ１乃至ＳＴ５の動作を禁止する。
【００１３】
そのため、フォーマットの変更作業のために必要なメディアの残容量を、ユーザは気にしなくとも済む。
よって、光ディスクのフォーマットを変更する時の手間を一層省くことができる。従って、ユーザの使い勝手を一層向上できる。
【００１４】
（４）前記光ディスクは、書換型のＤＶＤであり、
前記第１のフォーマットは、ＤＶＤ−ＶＩＤＥＯフォーマット及びＶＲフォーマットの内のいずれか一方のフォーマットであり、
前記第２のフォーマットは、他方のフォーマットである。
【００１５】
（５）前記メディアは、ハードディスク又は半導体メモリである。
【発明の効果】
【００１６】
この発明によれば、光ディスクのフォーマットを変更する時の手間を省くことができる。従って、ユーザの使い勝手を向上できる。
【発明を実施するための最良の形態】
【００１７】
以下、本発明の実施形態であるＨＤ付きＤＶＤレコーダについて説明する。
【００１８】
図１は、本発明の実施形態であるＨＤ付きＤＶＤレコーダの構成を示すブロック図である。ＨＤ付きＤＶＤレコーダ１は、記録指示に応じて入力されたデータを所定のメディアに記録（消去を含む）し、且つ再生指示に応じて既に記録されているデータを再生する記録再生部１０４と、記録再生部１０４への記録動作及び記録再生部１０４からの再生動作、及び以下に説明する各部の動作を制御する制御部２と、を備える。
【００１９】
記録再生部１０４は、ＤＶＤ１００（Ｄｉｇｉｔａｌ  Ｖｅｒｓａｔｉｌｅ  Ｄｉｓｋ）に対する（ＴＶ番組等の）コンテンツデータの記録及び読取を行う光ディスクドライブ２０と、内蔵するＨＤ３０Aに対する（ＴＶ番組等の）コンテンツデータの記録及び読取を行うＨＤＤ（ハードディスクドライブ）３００と、データプロセッサ４０と、を備える。
ＤＶＤ１００は、書換え型ＤＶＤであり、例えばＤＶＤ−ＲＷ、ＤＶＤ−ＲＡＭである。
なお、この実施形態では、制御部２及びデータプロセッサ４０が、本発明の「中継手段」に相当する。そして、ＨＤ３０Aが、本発明の「メディア」に相当する。
また、この実施形態では、ＤＶＤ１００で説明しているが、実施の際は、ブルーレイディスクでも構わない。また、ＨＤ３０Aで説明しているが、実施の際は、フラッシュメモリなどの半導体メモリでも構わない。
【００２０】
さらに、ＨＤ付きＤＶＤレコーダ１は、ＡＶ入力端子１０１と、チューナ１０２と、エンコーダ１０３と、デコーダ１０６と、出力部１０７と、ＯＳＤ生成部１０８と、ＴＶ（テレビジョン）３００が接続されるＡＶ出力端子１０９と、受信部１１０と、記憶部１１１と、を備える。
【００２１】
まず、録画時について説明する。
ＡＶ入力端子１０１は、記録対象である映像信号や音声信号等をＨＤ付きＤＶＤレコーダ１の外部から入力し、接続されているエンコーダ１０３に出力する。外部には、例えばインターネットが接続されている。
【００２２】
チューナ１０２は、放送局から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ１０３に出力する。
エンコーダ１０３は、ＡＶ入力端子１０１から入力された映像信号や音声信号を（例えばＭＰＥＧ２で）エンコードして圧縮し、コンテンツデータとして、データプロセッサ４０に出力する。
また、エンコーダ１０３は、チューナ１０２から入力されたテレビ放送信号から映像信号、音声信号を分離する。そして、エンコーダ１０３は、映像信号や音声信号を（例えばＭＰＥＧ２で）エンコードして圧縮し、コンテンツデータとして、データプロセッサ４０に出力する。
【００２３】
データプロセッサ４０は、制御部２の制御に従って、エンコーダ１０３から出力されたコンテンツデータを、光ディスクドライブ２０とＨＤＤ３０とのいずれか一方に供給する。
また、データプロセッサ４０は、両ドライブ間においてデータの中継を行う。詳述すると、データプロセッサ４０は、制御部２の制御に従って、光ディスクドライブ２０から読み出されたデータをＨＤＤ３０に供給したり、ＨＤＤ３０から読み出されたデータを光ディスクドライブ２０に供給したりする。
【００２４】
次に、再生時について説明する。
データプロセッサ４０は、ＤＶＤ１００のコンテンツデータ（映像音声データ）を光ディスクドライブ２０から取り込んで、デコーダ１０６に供給する。または、データプロセッサ４０は、ＨＤ３０Ａのコンテンツデータ（映像音声データ）をＨＤＤ３０から取り込んで、デコーダ１０６に供給する。
【００２５】
デコーダ１０６は、記録再生部１０４から出力された映像音声データをデコードして伸長する。デコーダ１０６は、デコードされた映像音声データを、テレビ等の再生装置に供給するためのＡＶ出力端子１０９が接続されている。
【００２６】
ＯＳＤ生成部１０８は、制御部２から入力されるデータに基づいて、ＯＳＤ（on screen display）画像を示すＯＳＤ画像データを生成する。そして、ＯＳＤ生成部１０８は、ＯＳＤ画像データを出力部１０７に出力する。
【００２７】
出力部１０７は、ＯＳＤ画像データおよび映像データを入力して、制御部２の制御のもとにいずれかを選択的に受取り、ＡＶ出力端子１０９を介してＴＶ３００に出力する。または、出力部１０７は、制御部２の制御のもとに、ＯＳＤ画像データと映像音声データ中の映像データとを合成し、ＡＶ出力端子１０９を介してＴＶ３００に出力する。さらに、出力部１０７は、映像音声データ中の音声データも、ＴＶ３００に出力する。
【００２８】
以上により、ＴＶ３００は、ＡＶ出力端子１０９を介して与えられる映像データに基づく画面、与えられる合成画像信号に基づく画面、または与えられるＯＳＤ画像データに基づくＯＳＤのみの画面を再生する。さらに、音声信号も、ＴＶ３００に設けられているスピーカで処理され、音声がそのスピーカから再生される。この結果、ユーザは、このＴＶ３００において、コンテンツであるテレビ番組等を視聴する。
【００２９】
記憶部１１１は、例えばＥＥＰＲＯＭで構成される。記憶部１１１は、装置本体各部の制御方法が記述された制御プログラムを格納する。
【００３０】
リモコン２００は、制御信号を送信する赤外LEDと、コンテンツの録画を受付ける録画キーと、ＤＶＤ−ＶＩＤＥＯフォーマット及びＶＲフォーマットの内からいずれか一方の録画フォーマットを選択するためのフォーマット選択キーと、ＤＶＤ１００に記録されているコンテンツデータの記録方式の変更を指示するためのフォーマット変更キー、及びその他の操作キーを有している（いずれも不図示）。ユーザは、これらのキー操作により、録画、再生、及びフォーマット変更等を行う。リモコン２００は、操作されたキーに応じた制御信号を赤外LEDから送信する。
【００３１】
受信部１１０は、リモコン２００から送信された制御信号を受信し、その制御信号を制御部２へ出力する。
【００３２】
制御部２は、例えばマイクロコンピュータで構成される。制御部２は、記憶部１１１に記憶されている制御プログラムで処理されるデータを展開するためのワークフィールドとしてのＲＡＭ（不図示）を内蔵する。制御部２は、リモコン２００から送信された制御信号に従って、ＨＤ３０Ａ及びＤＶＤ１００に対するデータの記録動作、読取動作等を制御する。
また、制御部２は、ＨＤ３０Ａに記録されているデータの管理情報を、ＨＤＤ３０から取得する。そして、制御部２は、この管理情報から残容量を調べる。この管理情報は、例えばプロパティに記述されている情報である。
【００３３】
図２は、ＤＶＤ−Ｖideoフォーマットで記録された光ディスク上のデータのデータ構造を示す図である。ＤＶＤ−Ｖideoフォーマットで記録されたＤＶＤ１００上には、図２Ａに示すように、その内周から外周にかけてVMGI９５、VMGM_VOBS９６、VMGIbup９７、タイトル１００１〜１００３が記録されている。
VMGI(Video  Manager  Information)９５には、ＤＶＤ−Ｖideo全体の再生関連情報（制御情報）、いわゆるルートメニューの情報が記述されている。例えば、ＶＴＳＩのアドレス情報等もここに記述されている。
VMGM_VOBS(Video  Object  Set  for  VMG  Menu)９６には、タイトルメニューで使用するコンテンツが記述されている。また、ここには、ＶＴＳＩのアドレス情報等を含むＤＶＤ−Ｖideo全体の再生関連情報（制御情報）が記述される場合もある。
VMGIbup９７は、VMGI９５のバックアップファイルである。
以下、ＶＭＧと言う時は、VMGI９５又はVMGM_VOBS９６を指す。
【００３４】
また、タイトル１００１は、ＶＴＳＩ（Ｖideo  Ｔitle  Ｓet  Ｉnformation）１００２とＶＯＢＳ（Ｖideo  Ｏbject  Ｓet）１００３とＶＴＳＩbup１００４とから構成されている（図２Ａ参照）。ＤＶＤ−Ｖideoフォーマットでは、最大９９タイトルまで収録が可能である。図２Ａでは、３タイトル収録されている。
【００３５】
ＶＴＳＩ１００２には、そのＶＴＳに対する制御情報が記述されている。
ＶＯＢＳ１００３には、タイトル再生のためのコンテンツが記述されている。該ＶＯＢＳ１００３には、図２Ｂに示すように、複数のセル１０１０〜１０１９から構成されている。
なお、ＶＯＢＳとＶＴＳとは、同じものを表す。
ＶＴＳＩbup１００４には、ＶＴＳＩ１００２のバックアップファイルが記述されている。
【００３６】
セル１０１０は、複数のＶＯＢＵ（Ｖideo  Ｏbject  Ｕnit）１０２０〜１０２９で構成される（図２Ｃ参照）。１タイトルのセルの最大数は２５５セルである。そのため、光ディスクに１０時間分のデータを記録する場合、１セルは、例えば２分３０秒である。
ＶＯＢＵ１０２０には、先頭にＮＶ＿ＰＣＫ（Ｎavigatyion  Ｐack）１０３０が置かれ、続いてビデオデータやオーディオデータ（ＡＶデータ）などがパック化されて挿入される（図２D参照）。
ここで、現在のＶＯＢＵを記録するのに、現在のＶＯＢＵの後に記録する他の複数個のＶＯＢＵの先頭アドレスやセルの再生時間などを、現在のＶＯＢＵ中のＮＶ＿ＰＣＫに書き込必要がある。
ＤＶＤ−Ｖideoフォーマットにおいて、データは、前から順番に、例えると一筆書きのように記録される。そのため、ＤＶＤ−Ｖideoフォーマットにおいて記録されたデータは、記録後編集を行うことはできない。しかし、ＤＶＤ−Ｖideoフォーマットは、後述図３のＶＲフォーマットより再生互換に優れたフォーマットである。このため、ＤＶＤ−Ｖideoフォーマットでコンテンツデータが記録されたＤＶＤ１００は、ＨＤ付きＤＶＤレコーダ１以外の多くの再生装置で再生できる。
【００３７】
図３は、ＶＲフォーマットで記録された光ディスク上のデータのデータ構造を示す図である。
ＶＲフォーマットで記録されたＤＶＤ１００上のデータのデータ構造は、ＤＶＤ−Ｖideoフォーマットで記録されたＤＶＤ１００上のデータのデータ構造（図２Ａ参照）と比べ、図３に示すように、VMGI９５、VMGM_VOBS９６、及びVMGIbup９７の配置に関して共通している。
しかし、図２Ａ及び図３に示すように、タイトルの配置に関しては異なっている。図２Ａでは、「ＶＴＳＩ、ＶＯＢＳ、及びＶＴＳＩbup」がセットになっているのに対し、図３では、セットになっていない。図３では、「ＶＴＳＩ、ＶＯＢＳ、及びＶＴＳＩbup」はそれぞれ分離されて配置されている。
ＶＲフォーマットは、データの記録後に編集を行うことができるフォーマットである。
【００３８】
なお、ＶＲフォーマットにおいて、セル１０１０〜１０１９、ＶＯＢＵ１０２０〜１０２９、ＮＶ＿ＰＣＫ１０３０及びビデオ／オーディオパック１０３１は、図示していないが、ＤＶＤ−Ｖideoフォーマットで記録されたＤＶＤ１００上のデータのデータ構造（図２Ａ参照）と同様の構造で存在している。
【００３９】
ここで、上記のＨＤ付きＤＶＤレコーダ１において、テレビ番組などのコンテンツを録画する場合、ユーザは、まず、ＤＶＤ−ＶＩＤＥＯフォーマット及びＶＲフォーマットの内のいずれか一方のフォーマットをフォーマット選択キーで選択する。この実施形態では、ユーザがＤＶＤ−ＶＩＤＥＯフォーマットを選択した場合について以後説明する。そして、ユーザは、ＨＤ付きＤＶＤレコーダ１にコンテンツの録画を録画キーで指示する。すると、ＨＤ付きＤＶＤレコーダ１は、選択されたＤＶＤ−ＶＩＤＥＯフォーマットに基づいてコンテンツを録画する。このようにして、ユーザは、所望のＤＶＤ−ＶＩＤＥＯフォーマットでコンテンツデータが録画されたＤＶＤ１００を作成する。
そして、ＤＶＤ１００の作成後、ユーザは、ＤＶＤ１００のフォーマットを変更する場合、フォーマット変更キーを押下する。
【００４０】
図４は、本発明の実施形態であるＨＤ付きＤＶＤレコーダにおいて制御部が行う動作を示すフローチャートである。この動作は、ユーザがフォーマット変更キーを押下した時の動作である。また、図４では、フォーマットの変更を代表して、ＤＶＤ−ＶＩＤＥＯフォーマットからＶＲフォーマットに変更する場面について説明する。
【００４１】
フォーマット変更キーが押下されると、制御部２は、光ディスクドライブ２０にＤＶＤ１００がセットされているかどうか判断する（Ｓ１）。ＤＶＤ１００がセットされていなければ、制御部２は、ＴＶ３００でＯＳＤによるエラー表示を行い（Ｓ３）、本処理を終了する。このエラー表示は、例えば「ＤＶＤをセットしてください」である。
【００４２】
ＤＶＤ１００がセットされていれば、制御部２は、ＤＶＤ１００に記録されているコンテンツデータを記憶する残容量がＨＤ３０Ａに存在するかどうかを判断する（Ｓ２）。この判断は、ＨＤ３０Ａの管理情報を参照することにより行われる。
【００４３】
残容量がＨＤ３０Ａに存在する場合、制御部２は、下記の動作を逐次実行する。
まず、制御部２は、コンテンツデータをＤＶＤ１００からＨＤ３０Ａにコピーするよう両ドライブに指示する（Ｓ４）。これにより、光ディスクドライブ２０は、ＤＶＤ１００からコンテンツデータを読取ってデータプロセッサ４０に出力する。これにより、データプロセッサ４０は、コンテンツデータをＨＤＤ３０に中継する。さらに、ＨＤＤ３０は、データプロセッサ４０を介して入力されたコンテンツデータをＨＤ３０Ａに記録する。
【００４４】
次に、制御部２は、Ｓ４のコピーが完了するのを待って（Ｓ５）、ＶＲフォーマットでＤＶＤ１００を初期化するよう光ディスクドライブ２０に指示する（Ｓ６）。これにより、光ディスクドライブ２０は、ＨＤ３０Ａへのコンテンツデータの記録が終了すると、ＤＶＤ−ＶＩＤＥＯフォーマットと異なるＶＲフォーマットでＤＶＤ１００を初期化する。
なお、Ｓ４のコピーが完了するのを制御部２に待たせている理由は、ＤＶＤ１００からＨＤ３０Ａへのコンテンツデータのコピーに失敗した場合にコンテンツデータをＨＤＤ３０に再送するためである。
【００４５】
最後に、制御部２は、Ｓ６の初期化が完了するのを待って（Ｓ７）、コンテンツデータをＨＤ３０ＡからＤＶＤ１００にコピーするよう両ドライブに指示する（Ｓ８）。そして、制御部２は本処理を終了する。これにより、ＨＤＤ３０は、ＤＶＤ１００のフォーマットが終了すると、ＨＤ３０Ａからコンテンツデータを読取ってデータプロセッサ４０に出力する。これにより、データプロセッサ４０は、コンテンツデータをＨＤＤ３０に中継する。さらに、光ディスクドライブ２０は、データプロセッサ４０を介して入力されたコンテンツデータをＶＲフォーマットでＤＶＤ１００に記録する。これにより、ＤＶＤ１００のフォーマットの変更が完了する。
そのため、ＤＶＤ１００のフォーマットを変更したいと考えた場合、ユーザは、フォーマット変更キーを押下するだけで済む。後は全てＨＤ付きＤＶＤレコーダ１が自動で行う。よって、ＤＶＤ１００のフォーマットを変更する時の手間を省くことができる。従って、ユーザの使い勝手を向上できる。
【００４６】
なお、Ｓ６の初期化では、既にＤＶＤ１００に録画されているコンテンツデータの消去が行われるとともに、ＶＲフォーマットでコンテンツデータをＤＶＤ１００に格納するための記憶領域の区分けが行われる。ここで、コンテンツデータの消去は、該コンテンツデータそのものをＤＶＤ１００から消去する物理的な消去でなく、該コンテンツデータの管理情報を消去する論理的な消去である。
【００４７】
一方、Ｓ２において残容量がＨＤ３０Ａに存在しない場合、制御部２は、ＴＶ３００でＯＳＤによるエラー表示を行い（Ｓ３）、本処理を終了する。即ち、制御部２は、上記のＳ４、Ｓ６、Ｓ８の動作を禁止する。そのため、フォーマットの変更作業のために必要なＨＤ３０Ａの残容量を、ユーザは気にしなくとも済む。
よって、ＤＶＤ１００のフォーマットを変更する時の手間を一層省くことができる。従って、ユーザの使い勝手を一層向上できる。
なお、Ｓ３のエラー表示は、例えば「フォーマットの変更作業に必要な容量がＨＤ３０Ａに存在しないため、フォーマットを変更できません」である。
【００４８】
また、本発明の実施形態では、以下の変形例を採用することができる。
図５は、本発明の実施形態の変形例であるＨＤ付きＤＶＤレコーダにおいて制御部が行う動作を示すフローチャートである。この動作は、図４のＳ８の後にＳ９及びＳ１０を追加した動作であり、その他の処理（Ｓ１からＳ８）については同じである。
【００４９】
ここで、光ディスクドライブ２０に出力したコンテンツデータは、フォーマットの変更作業のためにＨＤ３０Ａに記憶させたものであり、変更作業後は不要である。
そこで、制御部２は、Ｓ８のコピーが完了するのを待って（Ｓ９）、光ディスクドライブ２０に出力したコンテンツデータをＨＤ３０Ａから消去するようＨＤＤ３０に指示する（Ｓ１０）。これにより、ＨＤＤ３０は、光ディスクドライブ２０に出力したコンテンツデータをＨＤ３０Ａから消去する。
そのため、フォーマットの変更によって発生するＨＤ３０Ａの容量の無駄を省くことができる。
【００５０】
なお、Ｓ８のコピーが完了するのを制御部２に待たせている理由は、ＨＤ３０ＡからＤＶＤ１００へのコンテンツデータのコピーに失敗した場合にコンテンツデータを光ディスクドライブ２０に再送するためである。
【図面の簡単な説明】
【００５１】
【図１】本発明の実施形態であるＨＤ付きＤＶＤレコーダの構成を示すブロック図
【図２】Ｖideoフォーマットで記録された光ディスク上のデータのデータ構造を示す図
【図３】ＶＲフォーマットで記録された光ディスク上のデータのデータ構造を示す図
【図４】本発明の実施形態であるＨＤ付きＤＶＤレコーダにおいて制御部が行う動作を示すフローチャート
【図５】本発明の実施形態の変形例であるＨＤ付きＤＶＤレコーダにおいて制御部が行う動作を示すフローチャート
【符号の説明】
【００５２】
１−ＤＶＤレコーダ
２−制御部
２０−光ディスクドライブ
３０Ａ−ＨＤ
３０−ＨＤＤ
４０−データプロセッサ
１００−ＤＶＤ
１０１−ＡＶ入力端子
１０２−チューナ
１０３−エンコーダ
１０４−記録再生部
１０６−デコーダ
１０７−出力部
１０８−ＯＳＤ生成部
１０９−ＡＶ出力端子
１１０−受信部
１１１−記憶部
２００−リモコン
３００−ＴＶ
【図１】
2008300015.tif 000003
【図２】
2008300015.tif 000004
【図３】
2008300015.tif 000005
【図４】
2008300015.tif 000006
【図５】
2008300015.tif 000007